(57)【要約】      （修正有）【課題】冷却ミストを用いる改良された寒冷療法のための装置を提供する。【解決手段】装置は、シャワーアームに取り付けることができる部材５０２を備える。この構成では、ミストの流れをユーザの両側に提供するためにアーム１０２に６つのノズル１０４が接続される。ノズルは、洗浄手順が心地よい経験であり、水量が洗浄及びすすぎに適するように、十分な量のミストを生じるためにいくつかの高さに、例えば３〜４つの高さに、又は１つの高さに配置されてもよい。治療対象を冷却するために前記治療対象の表面領域にミストの流れが噴霧され、ミストのザウタ平均粒径は大きくとも１５０μｍである。【選択図】図５
2018083092.tif 000002
【特許請求の範囲】
【請求項１】
寒冷療法のための装置であって、少なくとも１つのアームを備え、前記アームは少なくとも１つの狙いをつけることができるノズルを備えており、前記ノズルは液体供給に接続され、ミストを所望の方向に噴霧するように構成されている、装置において、
用いられる液体は冷却されており、好ましくは前記液体の温度は正常な人の体温を下回る温度であり、前記ミストの液滴サイズは１５μｍ〜１００μｍであることを特徴とする装置。
【請求項２】
前記アームのノズルの数を設定可能である、請求項１に記載の寒冷療法のための装置。
【請求項３】
前記ノズルからのミストの流れの方向を調整可能である、請求項１又は２に記載の寒冷療法のための装置。
【請求項４】
前記装置が、少なくとも２つの互いに関連して配置されたアームを備える、請求項１〜３のいずれか１項に記載の寒冷療法のための装置。
【請求項５】
異なる前記アームのノズルからの少なくとも２つのミストの流れが、互いに衝突するように配置される、請求項４に記載の寒冷療法のための装置。
【請求項６】
前記アームの方向を調整可能である、請求項１〜５のいずれか１項に記載の寒冷療法のための装置。
【請求項７】
前記装置の前記アーム間の距離を調整可能である、請求項１〜６のいずれか１項に記載の寒冷療法のための装置。
【請求項８】
前記液体の温度を調整することによって前記ミストの温度を調整可能である、請求項１〜７のいずれか１項に記載の寒冷療法のための装置。
【請求項９】
前記液体が付加的な冷却手段でさらに冷却される、請求項８に記載の寒冷療法のための装置。
【請求項１０】
前記液体の供給圧を調整することによってミストの流れを調整可能である、請求項１〜９のいずれか１項に記載の寒冷療法のための装置。
【請求項１１】
前記用いられる液体が水である、請求項１〜１０のいずれか１項に記載の寒冷療法のための装置。
【発明の詳細な説明】
【技術分野】
【０００１】
一般に、本発明は、寒冷療法のための装置に関する。より詳細には、本発明は、冷却ミストを用いる寒冷療法のための装置に関する。
【背景技術】
【０００２】
アイスバス入浴療法及び極低温室療法などの寒冷療法が特にスポーツで一般に用いられ、寒冷療法は、普通は激しいエクササイズ期間の後のトレーニング法である。寒冷療法は、損傷を防ぎ、激しい活動期間からより速く身体が回復するのを助けるといわれる。寒冷療法は、血管を引き締め、体幹に血液を撤退させるように血管に影響を及ぼすことが知られている。寒冷療法後に、血液の循環が刺激されると思われ、例えば炎症を起こした及び損傷した領域への酸素及び栄養素の供給が改善されるといわれる。
【発明の概要】
【発明が解決しようとする課題】
【０００３】
しかしながら、アイスバス入浴療法及び極低温室療法は厳密に監視された状況で行われなければならない。アイスバス又は極低温室の中に長くとどまりすぎることで低体温症又は凍傷になることがあり、あるいは極度の低温に突然曝すことは心臓に問題のある又は喘息の患者に良くない可能性があり、最悪の場合は突然死につながることさえある。加えて、多くの人々は、アイスバスを不快な又はさらには苦痛なこととして経験する。身体を氷水に曝すというのは、治療の利点を知ってはいても、ある人には成し得難いことがある。
【０００４】
さらに、小さくてもアイスバスの浴槽は重量のある構造物であり、たくさんの水を必要とする。普通は浴槽の容積は２００Ｌ以上である。アイスバスが恒久的な構成である場合、バスのメンテナンスは、定期的な水の交換と、水を清浄に保つための薬品の使用を必要し、これは費用がかかり、訓練されたメンテナンス人員が必要である。用いられる薬品は、健康又はアレルギー問題を引き起こすこともあり、又はそれらは入浴する人の目及び／又は気道を刺激することがある。加えて、アイスバスは、所要温度を保つのに冷却システムを必要とし、これはたくさんのエネルギーを消費し、したがってメンテナンス費用を増加させる。
【０００５】
通常は、極低温室の寒冷は蒸気の形態の窒素でもたらされ、これはユーザにとってアイスバス入浴よりも快適な経験であることがある。
【０００６】
しかしながら、極低温室は、極低温室自体のため、その機器のため、並びに極低温室の中のユーザの監視のためにたくさんの空間を必要とする。アイスバスと同様に、極低温機器の使用及び維持は訓練及び人員を必要とする。
【課題を解決するための手段】
【０００７】
本発明の目的は、上記の従来技術の方策の欠点を回避するか又は少なくとも低減させることである。
【０００８】
本発明の目的は、寒冷が冷却ミストの形態で所望の皮膚領域に向けられる方策で達成される。
【０００９】
本発明に係る寒冷療法のための装置は、請求項１に記載の特徴によって特徴付けられる。
【００１０】
一実施形態によれば、本発明に係る寒冷療法のための装置は、装置のために提供される液体からミストを生じるためのノズルなどの手段を備え、治療対象を冷却するために前記治療対象の表面領域にミストの流れが噴霧され、ミストのザウタ平均粒径は大きくとも１５０μｍである。
【００１１】
別の実施形態によれば、前記液体の温度は正常な人の体温を下回る。
【００１２】
さらに別の実施形態によれば、前記表面領域の冷却効果を改善するためにミストの流れに関連して空気の流れが提供される。
【００１３】
一実施形態によれば、装置は、少なくとも１つのノズルを備える少なくとも１つのアームを備え、ノズルは、液体供給に接続され、ミストを所望の方向に噴霧するように構成される。
【００１４】
一実施形態では、アームのノズルの数を設定可能である。さらに、別の実施形態では、ノズルからのミストの流れの方向を調整可能である。これらの実施形態は、同じ装置を種々の物体に及び異なる様態で用いることを可能にする。
【００１５】
別の実施形態では、装置は、少なくとも２つのアームを備え、アームは、アームのノズルからのミストの流れが衝突するように構成されるように互いに対して配置される。ミストの流れの衝突は、組み合わされたミストの流れを提供し、これは下向きである。
【００１６】
さらに、別の実施形態では、装置のアーム間の距離を調整可能である。装置のアーム間の調整可能な距離は、装置を種々の目的に及び／又は異なる状況で用いることを可能にし得る。アーム間の距離を調整可能であるときに、同じ装置を例えばヒト、イヌ、及びウマを治療するために用いることができる。さらに、同じ装置を大腿、陰嚢などの身体の一部又は全身を治療するために修正することができる。
【００１７】
さらに、別の実施形態では、液体の圧力を調整することによってミストの流れを調整可能である。別の実施形態では、ノズルの設定を調整することによってミストの液滴サイズを調整可能である。
【００１８】
一実施形態では、用いられる液体は水である。この特徴は、水がヒトにとって絶対安全と分かっており、普通に入手可能であり、装置の使用を容易にするので有利である。多くの場合、装置は、例えば浴室の局所的配水システムに接続されることだけを必要とする。
【００１９】
本発明のいくつかの好ましい実施形態は従属請求項に記載される。
【００２０】
従来から公知の方策と比べたときに顕著な利点を本発明で達成することができる。本発明は、軽量であり、組み立て及び使用が容易である。アイスバスと比べて、これはどのような水の交換も必要とせず、又は他のメンテナンス手順を必要としないことがある。極低温室及びアイスバスとは異なり、本発明に係る寒冷療法のための装置は、重いしっかりした構造体なしに実装されてもよく、これは、つぶれることができるように構成されてもよく、そのためこれは給水が利用可能であるならどこへでも運び、使用することができる。加えて、これはまた、装置用の液体を提供するためのそれ自身の貯水器を備えることができる。さらに、装置は、例えばアイスバス入浴に用いられる水の量のごく一部だけを用いて冷却ミストを生じることができるので、水の消費を減らせることがある。
【００２１】
本発明は衛生的であり、薬品なしに実装され得るので、本発明に係る寒冷療法は、健康又はアレルギーに関連するどのような問題も引き起こさないであろう。薬品は高価なことがあり、それらの使用は時間とトレーニングを必要とするので、この特徴はまた、お金と時間を節約することができる。
【００２２】
本発明の調整及び修正が可能であることは、人体、動物、例えばグレイハウンド及び他のイヌ、競走馬などのいくつかの物体及び皮膚領域、普通は頭部を除く全身、いくつかの例を挙げると大腿筋、背筋、腕の筋などの単一の筋又は筋群に本発明が適用されることを可能にし得る。
【００２３】
本発明に係る寒冷療法のいくつかの利点を挙げると、寒冷療法は、損傷した筋又は関節の治癒プロセスを助長し、回復プロセスを総じて促進することがある。加えて、寒冷療法は、痛みを緩和し、身体の炎症及び膨れを低減させることがある。本発明に係る装置は、例えば疾患又は事故によって引き起こされることがある痛みの治療に用いられてもよい。
【００２４】
装置の使用は容易であり、人並びに動物のユーザは冷却ミストが伝統的なアイスバスよりも心地よいことを経験するであろう。さらに、冷却ミストは、ユーザにとって苦痛でなく、ユーザの健康に害を及ぼさないであろうし、冷却ミストはユーザに低体温症又は如何なる凍傷も生じさせないであろう。
【００２５】
本発明を用いることによって行われる寒冷療法はまた、いくつかの例を挙げるとリウマチ、特に萎縮性関節炎、線維筋肉痛、変形性関節症、及び抑うつの治療などの別の目的を有してもよい。
【００２６】
さらに、本発明に係る寒冷療法の利点は、要するに、治療対象の精神の鎮静と、コルチコトロピン、ベータ・エンドルフィン、コルチゾール、内因性オピオイド、ノルエピネフリン、及びアルファ・アドレナリン受容体の他のアゴニストの分泌などのホルモンの効果を含むことがある。これらのホルモンの効果は、いろいろな意味で肯定的利点を有することが知られている。
【００２７】
寒冷療法の他の公知の利点は、例えば、治療を受ける身体の中の褐色脂肪細胞の形成であることがあり、これはいろいろな意味で有利なことがあり、褐色脂肪細胞は、例えば、減量を容易にし、寒冷天候への適応を改善し、ストレス耐性を高めることがある。最近研究されたホルモンのイリシンは、身体が白色脂肪細胞を褐色脂肪細胞に変換するときに役割を有し、したがって、エクササイズ及びダイエットの肯定的効果を再現し得る。本発明に係る寒冷療法の付加的な利点は、身体の中でのホルモンのイリシンの産生であり得る。
【００２８】
損傷の治癒及び防止、種々の疾患及び症状の治療及び緩和、ホルモン療法、並びに褐色脂肪細胞の産生のために本発明に係る装置を用いる上述の方策に加えて、装置は、やけどの応急処置として又は例えば高すぎる体温の身体を冷却するために用いられてもよい。装置は、例えば救急車の応急処置器具に収容されるのに十分に小さく且つ軽量であり、これは、やけどした皮膚領域及び組織の即時冷却に適することがある。やけどの場合、例えば救急救命士がこれを各種のやけどに使用する必要があるときに、装置の拡張性を使用できることがある。装置は、現在の必要性に合わせて修正するのが容易であり得る。
【００２９】
この文書での「治療対象の表面」という表現は、ここでは、装置での治療を受ける人又は動物の身体の皮膚又は他の外装を指す。
【００３０】
次に、本発明が、付属の図面を参照してより詳細に説明される。
【図面の簡単な説明】
【００３１】
【図１】液滴の半径の関数としての表面積と体積との比である。
【図２】本発明の実施形態に係る例示的な装置の斜視図である。
【図３】本発明の実施形態に係る例示的な装置の側面図である。
【図４】本発明の実施形態に係る例示的な装置の上面図である。
【図５】本発明の実施形態に係る別の例示的な装置を示す図である。
【発明を実施するための形態】
【００３２】
同様の要素を表すために異なる図中で同じ参照符号が用いられる。
【００３３】
本発明の実施形態によれば、寒冷療法のための装置は、装置のために提供される液体からミストを生じるためのノズルなどの手段を備える。治療対象を冷却するために治療対象の表面領域にミストの流れが噴霧される。
【００３４】
本発明でのミストの冷却効果は、水などの液体の気化の高いエンタルピーに基づいている。図１で分かるように、たくさんの小さい液滴を含む微細なミストが、効率的な蒸発をもたらす大きい蒸発面を形成する。蒸発プロセスは、エネルギー（ｒ＝２２５６ｋＪ／ｋｇ）を必要とし、これは周囲の空気及び治療対象の熱からとられる。熱損失に起因して治療対象が冷却される。
【００３５】
ミストの適正な液滴サイズが本発明での要点である。流体力学で平均粒径を表すのに普通はザウタ平均粒径（Ｓａｕｔｅｒ  ｍｅａｎ  ｄｉａｍｅｔｅｒ：ＳＭＤ）が用いられる。ＳＭＤは、通常、表面直径ｄｓ及び体積直径ｄｖによって次式のように定義される。
【数１】
2018083092.tif 000003
【００３６】
本明細書では、ミストのＳＭＤは、好ましくは約１５μｍ〜１５０μｍ、より好ましくは約３０μｍ〜１００μｍ、最も好ましくは約５０μｍ〜８０μｍである。液滴の半径が増加するときに液滴の面積／体積比が指数関数的に減少するため、より大きいＳＭＤを有するミストは同様に蒸発せず、結果はむしろ十分な蒸発効果を有さない水滴での通常のシャワーに近いであろう。その場合、十分に低い温度の液体を用いるとき、そのシャワーは治療対象を冷却することができるが、これは非常に不快な経験となることがあり、ミストの蒸発の代わりに冷水の冷却効果に基づいている。
【００３７】
加えて、治療対象の皮膚領域に適用される液滴の数が、治療対象の冷却に影響する。液滴の数は、該領域のサイズに非常に依存し、正確に定義することはできない。有利には、治療を受ける領域は、満足のいく冷却効果を達成するために液滴で少なくとも２回覆われるべきであるが、より多くのミスト液滴を寒冷療法に用いることもできることを当業者は理解するであろう。
【００３８】
用いられる液体の温度もまたミストの冷却効果に影響する。実施形態に応じて、用いられる液体の温度は、例えば０℃から５５℃までの間で大きく変えることができるが、用いられる液体の温度は正常な人の体温を下回ることが好ましい。治療が例えば動物に向けられる実施形態では、用いられる液体の温度は、当該治療を受ける動物の正常な体温を下回るように選択されることが好ましい。
【００３９】
一実施形態では、本発明の装置の液体として低温の水道水（ｔａｂ  ｗａｔｅｒ）が用いられる。低温の水道水の温度は、変わることがあるが、１５℃を下回ることが好ましく、水がミストに変化するときにより一層冷却することができる。
【００４０】
本発明の装置は、特に夏に、用いられる液体を冷却するための、二酸化炭素、すなわち「ドライアイス」などの別個の冷却手段をさらに備えることができる。他の冷却手段が用いられてもよいが、好ましくは低温の水道水が本発明の装置での寒冷療法に適する。用いられる液体を冷却するための別個の冷却手段を用いるときに、液体は、装置のホースシステムに送られる前に冷却されることが好ましい。別の実施形態では、冷却及び／又は加熱システムが、ホースシステムに、例えばホースの分岐部間に配置される。これは、装置のための水が局所的配水システムから提供され、ミストの流れに変化される前に所望の温度に加熱される／冷却されるような方法で治療を変化させるための装置の使用を可能にする。
【００４１】
別の実施形態では、用いられる液体の温度は約１５℃以上である。この実施形態では、装置を用いる空間の湿度を制御するのが有利である。相対湿度が高過ぎるレベルに上昇する場合、これはミストの蒸発プロセスを実質的に阻害する。通常は、湿度は、空間内に十分な空気の換気を配することによって制御される。当業者が理解するように、空気の換気はまた、他の実施形態に関連して配することができる。
【００４２】
一実施形態では、用いられる給水は局所的配水システムであり、水は、配水システムに用いられる標準圧力、通常は例えば約３〜４バールで装置のホースシステムに誘導される。しかしながら、より高い圧力の液体を用いることもでき、これは適切な液滴サイズのミストを生じるのに有利なことがある。その場合、圧力は、例えば約７バールとすることができる。局所的配水システムが十分な圧力を提供しない場合、付加的な圧力上昇手段を装置と組み合わせて用いることができる。より高い圧力は、治療を受ける皮膚領域に所要数の液滴がより早く充足されるので、より効率的である。
【００４３】
液体の圧力はまた、ミストの流れを調整するために調整可能であってもよい。一実施形態では、装置は、装置に用いられる液体の圧力を調整するための加圧空気などの手段を含む。
【００４４】
別の実施形態では、ミストを生じるために水以外のまた別の液体が用いられる。用いられる液体は、例えば、限定はされないが、精油、香料などの保養成分を伴う油、乳、エタノール、ローション、又は水とすることができる。
【００４５】
別の実施形態では、装置は、例えば水入れ（ｗａｔｅｒ  ｃａｎｉｓｔｅｒ）などの別個の貯水器を用いることによって作動するように構成される。この場合、ホースシステム内の圧力は、別個の加圧手段、例えば加圧水入れ又は圧縮空気システムなどを用いるまた別の様態で構成される。普通は、別個の貯水器は、例えば４０〜５０Ｌ／ｈの使用、通常は例えば１５〜３０分の使用時間に合ったサイズにされ、例えば２５Ｌの水入れが例えば１回の治療に適することがある。
【００４６】
一実施形態では、ミストの流れに関連して空気の流れが提供される。この特徴は、種々の方法で実装することができるが、一実施形態では、ミストの流れと空気の流れとの両方が同じノズルで提供される。一実施形態では、装置の用いられる１つ以上のノズルは、ミストの流れを或る角度、例えば約８０度でコーンの形態で噴霧し、且つ空気の流れをノズルの中央で噴霧するコーンノズルである。
【００４７】
空気の流れは、１つ又は複数のノズルを例えば空気の流れ専用にし、他のノズルをミストの流れ専用にするなどのまた別の方法で提供することもできることを当業者は理解するであろう。蒸発効果は、装置が用いられる空間の床に排水システムを配することによってさらに改善することができる。廃水が除去される場合、これは空気に蒸発せず、湿度レベルを上昇させない。
【００４８】
ミストの流れの適用時間は、治療を受ける領域のサイズ及び使用目的に応じて変えることができるが、通常は、装置は約２〜５分などの数分間用いられ、しかし装置は、特により大きい表面領域が治療されようとする場合には、より長時間用いることができる。治療対象の表面の温度は、約１５℃〜２６℃などのいくつかの摂氏度に低下することを意図される。例えば、治療を受けるのがヒトであるときには、治療を受ける領域の表面温度は、治療後に約１１℃とすることができる。
【００４９】
次に、本発明に係る寒冷療法のための例示的な装置の構成部品及び機能が図２〜図４を参照して論じられる。
【００５０】
寒冷療法のための装置１００の例示的な構成は少なくとも１つのアーム１０２を備え、アーム１０２は少なくとも１つのノズル１０４を備え、ノズルは狙いをつけることができる。ノズル１０４は、液体供給（図示せず）に接続され、ミストを所望の方向に噴霧するように構成される。
【００５１】
図２〜図４に提示される本発明に係る装置の例示的な構成では、装置１００は、円形又は卵形に配置される６つのアーム１０２を備える。装置のアームを上記の形状以外のまた別の適切な形態に配置できることを当業者は理解するであろう。実施形態に応じて、アームは、例えば半円形又は直線に配置することができる。１つのさらなる実施形態では、アームは、アームを手持ち式装置として使用できるようにベース構造体から取り外せるように配置される。
【００５２】
好ましい実施形態では、アームの数は例えば４〜６個であるが、実施形態に応じて、アームの数は、より多くても又はより少なくてもよい。装置は、装置の用い方が変わるときにアームの数及び位置を変更できるように構成することができる。
【００５３】
好ましくは、アームは、アルミニウム、ステンレス鋼、又はまた別の適切な材料などの耐久性があるが軽量の材料から作製される。アームは、有利には、クランプ又はまた別の適切なファスナなどの、ノズルをアームに取り付けるための手段を備える。ノズルはまた、ファストカップリング手段を用いることなどのまた別の方法でアームに締結されてもよい。
【００５４】
また別の実施形態では、ノズルは、それらを開閉するための手段を備え、これは、アームのノズルを取り外す又は取り付けることなく、用いられるノズルの数の構成を変更できるようにする。
【００５５】
図２〜図４では、各アームは、ミストの流れを円の中心に向けて噴霧するように狙いをつけた４つのノズル１０４を備える。装置の使用に応じてアームの又は装置のノズルの数又は位置を自由に変更できることが当業者には明らかであろう。同様に、一実施形態では、アームは伸縮構造を有し、これは、より多くの又は少ないノズルが必要とされるときに若しくは１つ又は複数のノズルの位置が変更されるときに、アームが長くされる及び／又は短くされることを可能にする。
【００５６】
ノズル１０４は、ミストを生じるのに適する任意のノズルとすることができる。好ましい実施形態では、ノズルは、ノズルによって生じる液滴サイズを変更できるように調整可能である。
【００５７】
通常は、治療対象がいくつかの高さのミストの流れを噴霧されるように、アームのノズル１０４は異なる高さに配置される。治療対象がヒトである場合、ノズルは、通常は、ミストが頭部を除く人の全身を覆うように調整される。流れが治療を受ける身体などの固体物体に当たったときに下向きに方向転換すること、又は別のミストの流れと衝突し、流れが組み合わされ、組み合わされた流れが下向きに方向転換することが、ミストの流れの特徴である。
【００５８】
一実施形態では、アーム１０２のノズル１０４の高さは、異なるアーム１０２のノズル１０４が実質的に同じ高さに配置されるように選択される。その場合、２つ以上のミストの流れを、衝突して組み合わされた下向きの流れを形成するように構成することができる。この特徴を用いることによって、例えば、身体の一部、横たわっている人、及び／又は動物を治療するために、より大きいミストの流れを提供することができる。
【００５９】
図２〜図４に提示される例示的な装置では、アームは、装置１００を実質的に直立位置に保つことを意図される、ベースフレーム１０８を形成する足部１０６にさらに接続される。アームの位置は、例えば地表面と或る角度をなす、直立以外の位置とすることができる。ベースフレームは、有利には、床に横たわるように構成され、直立位置で用いられるアームに必要な支持を提供する。加えて、ベースフレーム１０８によって提供される支持を改善するために、両側ブレース１１０が足部１０６間に接続される。
【００６０】
加えて、ベースフレーム１０８の足部１０６は、治療を受ける人が立つための治療領域を画定することができる中央部１１２にさらに接続されてもよい。中央部は、治療領域からの水漏れをさらに防ぐ又は少なくとも低減させることができる。特定の実施形態では、例えば水の温度を観測するために中央部に１つ又は複数のセンサが提供される。本発明に係る装置は中央部なしに実装することができ、中央部は装置の補助的な又は付加的な構成部品とすることができることが当業者には明らかであろう。
【００６１】
アームと同様に、ベースフレーム及びその構成部品は、アルミニウム、ステンレス鋼、又はまた別の適切な材料などの、耐久性があるが軽量の材料から作製される。足部１０６は、例えば、アーム間の位置及び距離を調整するための溝を備えることができる。加えて、足部は、アームをベースフレームに締結するための手段を備えることができる。しかしながら、装置をベースフレーム又はどのような他の支持部もなしに実装することもできることを当業者は理解するであろう。特定の実施形態では、装置は、例えば片手で持つように構成される。
【００６２】
ノズルは、給水にさらに接続される。好ましくは、水は、ノズルにホースシステム１１４を介して提供され、これは、通常は、局所的配水システムに接続するのに適した接続手段１２０を備える。水は、より大きいホース１１８で各アームに提供することができ、ホース１１８は、ホース分岐１１６又はアーム１０２間のホースを接続するのに用いられる。特定の実施形態では、ホースシステム１１４は、アーム１０２及び／又はベースフレーム１０８と一体化される。その場合、ノズルは、ホースシステムのどの構成も伴わずにアームに追加又はアームから除去することができてもよい。別の実施形態では、各ノズルはホース又はホース分岐１１６に接続され、ホース又はホース分岐１１６はアームに締結することができ、又はノズルだけが締結され、ホース／ホース分岐は自由に吊るされたままにされる。
【００６３】
ある補助的な又は付加的な実施形態では、装置はまた加熱手段を備える。普通は、その場合、装置は、低温ミストと高温ミストを交互に用いることによって治療を変化させるために用いられる。その場合、別個の１つ又は複数の貯水器から１つの水型又は両方の水型を装置のために提供することができる。高温水を所望の温度に加熱し、別個の貯水器から装置に提供することができるので、別個の貯水器は有利なことがある。治療を変化させるのに適する特定の実施形態では、いくつかのノズルを高温水専用にし、他のノズルを低温水専用にすることができる。
【００６４】
特定の実施形態では、装置は、用いられる液体の温度及び／又は圧力を監視及び／又は保証するための１つ又は複数の温度／圧力センサをさらに備える。
【００６５】
図５は、本発明の実施形態に係る別の例示的な装置を示す。この図では、本発明に係る装置をシャワーヘッドの代わりに又はこれに加えて通常のシャワーアームにどのように取り付けることができるかが分かる。本発明の実施形態では、装置は、シャワーアームに取り付けることができる部材５０２を備える。この構成では、ミストの流れをユーザの両側に提供するためにアーム１０２に６つのノズル１０４が接続される。
【００６６】
説明は寒冷療法のための本発明の使用に関するものであるが、伝統的なシャワーの代わりに洗浄のための装置を用いることができる。洗浄のための装置の使用は、通常はいくつかのノズルを必要とし、ノズルは、洗浄手順が心地よい経験であり、水量が洗浄及びすすぎに適するように、十分な量のミストを生じるためにいくつかの高さに、例えば３〜４つの高さに、又は１つの高さに配置されてもよい。用いられる水の温度は、寒冷療法に用いられる水の温度よりも高いように選択することができる。装置のためのより温かい水を提供する最も簡単な方法は、ホースシステムを温給水に接続することである。上述のように、水加熱システムはまた、洗浄のために水を加熱するのに用いることができる。
【００６７】
装置の構成、すなわちノズルの数及び場所、並びにミストの液滴サイズ、アームの数、ベースフレームの構成は、装置の使用を留意して選択される。狙いは、本発明の目的、例えば身体の一部、全身、又は種々の寸法の種々の物体の治療に適する濃いミストの流れをもたらすことである。しかしながら、そのときに必要でないミストの流れをもたらすことは水の無駄になるので望ましくない。したがって、本発明の装置は、普通は、上述のように本発明の範囲内で異なる方法で調節可能にされる。
【００６８】
本発明の範囲は、その均等物と共に付属の請求項によって定められる。明示的に開示された実施形態は単に例証する目的で構築されたものであって、範囲は本発明の特定の各使用事例によりよく合ったさらなる実施形態、実施形態の組合せ、及び均等物を包含することも当業者には分かるであろう。
【図１】
2018083092.tif 000004
【図２】
2018083092.tif 000005
【図３】
2018083092.tif 000006
【図４】
2018083092.tif 000007
【図５】
2018083092.tif 000008